(57)【要約】【課題】今後はカセット式ガスボンベが大量に備蓄され、大半が未使用のまま有効期限を迎えることになる。【解決手段】カセット式ガスボンベのステムがホルダー２１に押し込まれると、通路が開通すると共に、ガス導出パイプのガス導入端が下側を向くように横倒した姿勢で装着され、ガス導入端は液化ガス燃料の液層に突っ込まれた状態となる。真空ポンプ７３による吸引作用により、ガス導入端から液化ガス燃料が液化状態のまま吸引され、回収ボンベ５５に回収される。カセット式ガスボンベ内に充填された液化ガス燃料を効率良く短時間で抜き取って回収することができる。しかも、空中にガスが放出されないので、安全に処理を進めることができる。【選択図】  図１
2020180689.tif 000002
【特許請求の範囲】
【請求項１】
カセット式ガスボンベの容器本体をガス導出パイプのガス導入端が下側を向くように横倒した姿勢に強制する姿勢保持手段と、
前記カセット式ガスボンベをそのステムが押し込まれて前記ステムのガス噴出口と前記ガス導出パイプが開通した状態に保持する開通保持手段と、
前記ガス噴出口に接続される接続口を一端側とし、他端側が回収ボンベに接続される液体回収経路と、
前記液体回収経路を通過させて前記容器本体内の液化ガス燃料を液体のまま前記回収ボンベに向かって移送させる方向誘導手段を備え、
前記カセット式ガスボンベの容器本体内に充填された液化ガス燃料が液体のまま前記回収ボンベに回収されることを特徴とするカセット式ガスボンベ内の燃料回収装置。
【請求項２】
請求項１に記載したカセット式ガスボンベ内の燃料回収装置において、
開通保持手段が、液体回収経路の接続口側に嵌合凹部と外方に拡がったフランジ部を備えており、ステムが前記嵌合凹部に押し込まれながら、カセット式ガスボンベ側の容器ガイドが前記フランジ部に当接すると、ガス導出パイプとガス噴出口が開通することを特徴とする燃料回収装置。
【請求項３】
請求項２に記載したカセット式ガスボンベ内の燃料回収装置において、
開通保持手段が、液体回収経路の接続口側の外側に設けられたマグネットを備えており、前記マグネットによる引寄せ作用により、フランジ部とカセット式ガスボンベの容器ガイドの当接状態が維持されることを特徴とする燃料回収装置。
【請求項４】
請求項１から３のいずれかに記載したカセット式ガスボンベ内の燃料回収装置において、
方向誘導手段は、真空ポンプと、一端側が前記真空ポンプに接続され、他端側が回収ボンベに入り込んだガス吸引経路を備えており、前記真空ポンプによる吸引作用により、前記回収ボンベ内が負圧に維持されることで、容器本体内の液化ガス燃料が前記回収ボンベに向かって移送されることを特徴とする燃料回収装置。
【請求項５】
請求項１から４のいずれかに記載したカセット式ガスボンベ内の燃料回収装置において、
姿勢保持手段は、カセット式ガスボンベの容器本体を軸方向に対してステム側が底側より下がる下がり勾配で維持させることを特徴とする燃料回収装置。
【請求項６】
請求項５に記載したカセット式ガスボンベ内の燃料回収装置において、
下がり勾配の角度は、３〜１０°であることを特徴とする燃料回収装置。
【請求項７】
請求項１から６のいずれかに記載したカセット式ガスボンベ内の燃料回収装置において、
液体回収経路に複数の接続口が設けられていることを特徴とする燃料回収装置。
【請求項８】
請求項７に記載したカセット式ガスボンベ内の燃料回収装置において、
液体回収経路が中間で切替部を介して２方向以上に分岐されており、各分岐経路に格別に複数の接続口が設けられていることを特徴とする燃料回収装置。
【発明の詳細な説明】
【技術分野】
【０００１】
本発明はカセット式ガスボンベの内部に充填された燃料を回収する回収装置に関するものである。
【背景技術】
【０００２】
カセット式ガスボンベは、簡易型コンロであるカセットガスコンロの燃料として用いられており、小型で、携帯や収納がし易いものとなっている。
カセット式ガスボンベに充填されている燃料自体は劣化することが無いが、容器（ボンベ）側についてはゴム部分が劣化したり金属部分が腐食したりする恐れがある。
従って、カセット式ガスボンベの有効期限は７年程度が目安とされている。
処分しようとする時点で燃料が残っていたとき、カセットガスコンロが使用できる場合には湯を沸かすなどで使い切り、その後はゴミとして廃棄する。一方、カセットガスコンロが使用できない場合には、従来は、自治体側が屋外の火の気のない風通しの良い場所で、特許文献１に記載のように容器に穴を開けてガス抜きを行い、その後にゴミとして廃棄処分するように指導していたが、最近では、引火事故の多発もあって、穴開けせずにガス抜きを行うように指導している。
しかしながら、穴開けをしないとなると、ガス抜きには時間がかかる。
【先行技術文献】
【特許文献】
【０００３】
【特許文献１】特開平１０−２６７１９６号公報
【発明の概要】
【発明が解決しようとする課題】
【０００４】
カセットガスコンロはアウトドアライフや家庭内で火の欲しい場合に、便利な簡易調理器具として従来から利用されてきたが、最近では災害時の積極的な活用が期待されている。そのため、今後はカセット式ガスボンベが大量に備蓄され、大半が未使用のまま有効期限を迎えることになる。
その処分対策として、カセット式ガスボンベから、穴開けに代えて、短時間で効率良くガス抜きできる装置の提案が求められている。
【０００５】
本発明は上記従来の問題点に着目して為されたものであり、カセット式ガスボンベから、穴開けに代えて、短時間で効率良くガス抜きできる、新規且つ有用な装置を提供することを、その目的とする。
【課題を解決するための手段】
【０００６】
本発明は上記課題を解決するためになされたものであり、請求項１の発明は、カセット式ガスボンベの容器本体をガス導出パイプのガス導入端が下側を向くように横倒した姿勢に強制する姿勢保持手段と、前記カセット式ガスボンベをそのステムが押し込まれて前記ステムのガス噴出口と前記ガス導出パイプが開通した状態に保持する開通保持手段と、前記ガス噴出口に接続される接続口を一端側とし、他端側が回収ボンベに接続される液体回収経路と、前記液体回収経路を通過させて前記容器本体内の液化ガス燃料を液体のまま前記回収ボンベに向かって移送させる方向誘導手段を備え、前記カセット式ガスボンベの容器本体内に充填された液化ガス燃料が液体のまま前記回収ボンベに回収されることを特徴とするカセット式ガスボンベ内の燃料回収装置である。
【０００７】
請求項２の発明は、請求項１に記載したカセット式ガスボンベ内の燃料回収装置において、開通保持手段が、液体回収経路の接続口側に嵌合凹部と外方に拡がったフランジ部を備えており、ステムが前記嵌合凹部に押し込まれながら、カセット式ガスボンベ側の容器ガイドが前記フランジ部に当接すると、ガス導出パイプとガス噴出口が開通することを特徴とする燃料回収装置である。
【０００８】
請求項３の発明は、請求項２に記載したカセット式ガスボンベ内の燃料回収装置において、開通保持手段が、液体回収経路の接続口側の外側に設けられたマグネットを備えており、前記マグネットによる引寄せ作用により、フランジ部とカセット式ガスボンベの容器ガイドの当接状態が維持されることを特徴とする燃料回収装置である。
【０００９】
請求項４の発明は、請求項１から３のいずれかに記載したカセット式ガスボンベ内の燃料回収装置において、方向誘導手段は、真空ポンプと、一端側が前記真空ポンプに接続され、他端側が回収ボンベに入り込んだガス吸引経路を備えており、前記真空ポンプによる吸引作用により、前記回収ボンベ内が負圧に維持されることで、容器本体内の液化ガス燃料が前記回収ボンベに向かって移送されることを特徴とする燃料回収装置である。
【００１０】
請求項５の発明は、請求項１から４のいずれかに記載したカセット式ガスボンベ内の燃料回収装置において、姿勢保持手段は、カセット式ガスボンベの容器本体を軸方向に対してステム側が底側より下がる下がり勾配で維持させることを特徴とする燃料回収装置である。
【００１１】
請求項６の発明は、請求項５に記載したカセット式ガスボンベ内の燃料回収装置において、下がり勾配の角度は、３〜１０°であることを特徴とする燃料回収装置である。
【００１２】
請求項７の発明は、請求項１から６のいずれかに記載したカセット式ガスボンベ内の燃料回収装置において、液体回収経路に複数の接続口が設けられていることを特徴とする燃料回収装置である。
【００１３】
請求項８の発明は、請求項７に記載したカセット式ガスボンベ内の燃料回収装置において、液体回収経路が中間で切替部を介して２方向以上に分岐されており、各分岐経路に格別に複数の接続口が設けられていることを特徴とする燃料回収装置である。
【発明の効果】
【００１４】
本発明のカセット式ガスボンベ内の燃料回収装置によれば、カセット式ガスボンベ内に充填された液化ガス燃料を効率良く短時間で抜き取って回収することができる。しかも、空中にガスが放出されないので、安全に処理を進めることができる。加えて、液化ガス燃料を液化状態のまま回収できるので、種類によっては燃料として有効活用することができる。
更に、日本工業規格（ＪＩＳ）が変更され、メーカーの違いによるカセット式ガスボンベの各部の寸法較差は大幅に小さくなっており、本発明のカセット式ガスボンベ内の燃料回収装置は、各種メーカーのカセット式ガスボンベに対応できる。
【図面の簡単な説明】
【００１５】
【図１】本発明の実施の形態に係るカセット式ガスボンベ内の燃料回収装置の全体図である。
【図２】図１の自立型フレーム体の斜視図である。
【図３】図２のホルダーとステム装着部の分解斜視図と、マグネットの配置状態を示す断面図である。
【図４】図２の自立型フレーム体の側面図である。
【図５】図２の自立型フレーム体に取付けられたホルダーを軸方向先端から示す図である。
【図６】図５のホルダーにカセット式ガスボンベを装着した状態を示す上面図である。
【図７】図５のホルダーにカセット式ガスボンベを装着した状態を示す概略的断面図である。
【図８】図１とは別の構成の全体図である。
【発明を実施するための形態】
【００１６】
本発明の実施の形態に係るカセット式ガスボンベ内の燃料回収装置１を図面にしたがって説明する。
図１で、符号３は自立型フレーム体を示す。図２、図４で詳細に示すように、この自立型フレーム体３は、可搬型で、ベースフレーム５にキャスター７と共に脚パッド９が取付けられており、任意の場所に移動させて、その場所で動かないように止めることができるようになっている。
ベースフレーム５からは、一対の支柱フレーム１１、１１が立ち上がっている。一対の支柱フレーム１１、１１の間では上端と中間にそれぞれ横架フレーム１３、１３が架け渡され連結されており、ベースフレーム５上に自立している。
【００１７】
この支柱フレーム１１、１１の正面側には配管マニホールド１５が水平に横架され固定されている。図２に示すように、配管マニホールド１５の左端側はキャップ１７がねじ込まれて閉塞されている。配管マニホールド１５に軸方向に沿って所定の間隔をあけて一列に複数の接続筒１９、１９、……が並んで設けられており、その接続筒１９、１９、……の列が正面を向くように固定されている。接続筒１９にホルダー２１が接続されている。
このホルダー２１は、中空筒状をなしている。ホルダー２１の軸方向基端側は配管マニホールド１５の接続筒１９に外嵌されて接続されており、配管マニホールド１５と内部連通している。先端側は正面方向に突き出して開口している。
【００１８】
図４に示すように、接続筒１９の軸方向は水平方向に対して傾斜しており、接続筒１９の筒端は上側を向いている。従って、接続筒１９に接続されたホルダー２１は、その軸方向は水平方向に対して傾斜しており、基端側が先端側より下がる下がり勾配になっている。この下がり勾配の角度（θ）の設定について後で詳述する。
ホルダー２１には、バルブ機構が介装されており、レバー２３を操作することで、ホルダー２１の内部通路が開閉される。
【００１９】
図５、図７に示すように、ホルダー２１の先端側がバルブ機構２５になっている。このバルブ機構２５は、バルブ本体がコイルスプリング等の部材（図示省略）と共に組み込まれて構成されて軸方向に移動可能になっており、バルブ本体の被押圧面２７には溝２９が貫通形成されている。このバルブ機構２５ではバルブ本体を先端方向に付勢し、被押圧面２７が最大に先端側に位置した状態で内部の通路が閉じられ、被押圧面２７が後退した状態では開くようになっている。
【００２０】
ホルダー２１の先端寄りの外側にはステム装着部３１が設けられている。符号３３は取付けプレートを示す。この取付けプレート３３の中心孔をホルダー２１が貫通しており、取付けプレート３３の板面はホルダー２１の軸方向を向いている。取付けプレート３３の外縁は六角形状になっており、この６つの辺縁からはそれぞれ側面部３５、３５、……が直角に同じ方向に立ち上がって、取付けプレート３３と共に凹部をなしている。この凹部はホルダー２１の先端側を向いて開口している。
【００２１】
図３で詳細に示すように、取付けプレート３３で構成された凹底面には、マグネット３７が４つ取付けられている。マグネット３７は円柱状になっており、マグネット３７、３７、……は軸方向から見ると、一つの円軌道上に同じ間隔をあけて配置されている。各マグネット３７は側面部３５内に収まっている。マグネット３７は、強力な引寄せ作用を有するネオジムで形成されている。
ホルダー２１の先端は、側面部３５から突出しており、そこには厚肉で短い円筒部３９が連なっている。断面図で示すように、この円筒部３９の外周面には段差４０が形成されており、マグネット３７の一部はこの段差４０と取付けプレート３３との間に収まっている。
この円筒部３９の先端側には段差が形成されており、内周側端面４１が外周側端面４３より凹んでいる。内周側端面４１、外周側端面４３は、軸方向に垂直な平面になっている。なお、内周側端面４１と外周側端面４３との間はテーパ面になっている。外周側端面４３で当接用のフランジ部が構成されている。
内周側端面４１の内縁側が上記したバルブ機構２５における被押圧面２７の露出口となっている。先端側から見ると、外周側端面４３の円形の外縁から、マグネット３７、３７、……がそれぞれはみ出して見えている。
【００２２】
図２に示すように、配管マニホールド１５、１５、……が上下方向に多段にわたって横架されており、それぞれに上記したようにホルダー２１、２１、……が取付けられている。
配管マニホールド１５の右端側はＴ型ジョイント４５を介して短管４７に繋がれている。配管マニホールド１５、１５、……の右端側が全てＴ型ジョイント４５、４５、……に連結されており、短管４７がＴ型ジョイント４５、４５、……に繋がれて鉛直方向に立った状態で延びている。
【００２３】
短管４７の上端部には圧力計４９が設けられており、短管４７内を流れる液体の圧力が計測表示されている。
また、Ｔ型ジョイント４５、４５、……の連結部分より下側では、バルブ機構が介装されており、レバー５１を操作することで、短管４７内の流路が開閉される。
レバー５１の取付け部分の下側には、窓部５３が設けられており、短管４７内を流れる液体を視認することができる。
【００２４】
図１に示すように、Ｔ型ジョイント４５、４５、……との連結により、短管４７は下方に延びているが、下側では湾曲して上方に向かって持ち上げられており、その右端部は回収ボンベ５５の回収口５７に接続されている。回収ボンベ５５は、液化ガス燃料を保管するものとして従来から使用されていたもので構成されている。
この回収口５７には、長管５９が接続されており、回収ボンベ５５の中空内部を鉛直方向下方に向かって延びている。この長管５９の下端は開口している。回収ボンベ５５には吸引口６３も設けられている。また、バルブ機構が介装されており、回収口５７側はハンドル６１により開閉され、吸引口６３側はハンドル６７により開閉される。
回収ボンベ５５は、通常は、液化ガス燃料を液体のまま保管する用途で使用されているもので代用されており、充填口が回収口５７、ガス噴出口が吸引口６３として利用されている。
【００２５】
回収ボンベ５５は重量計６９の上で正立しており、回収ボンベ５５内に回収した量が計測表示される。
回収ボンベ５５の吸引口６３には、別のホース７１の一端部が接続されており、他端部は真空ポンプ７３に接続されており、ホース７１がガス吸引経路となって、回収ボンベ５５の内部からガスが吸引されるようになっている。
【００２６】
燃料回収装置１は、上記のように構成されており、図６、図７に示すように、ホルダー２１にカセット式ガスボンベＡが装着される。
カセット式ガスボンベＡには、バルブ機構として、ステムＢと共に、容器本体Ｃの内部に、コイルスプリング等の各部材が組み込まれて構成されている。ガス導出パイプＤはＬ形になっており、容器本体Ｃの内部で、ステムＢの軸方向延長上に延びた後、垂直に屈直して径外方に向かって延びており、その先端であるガス導入端Ｅが開口している。バルブ機構は、ステムＢを突出方向に付勢しており、ステムＢが最大に突出した状態でガス導出パイプＤ内の通路が閉じられ、ステムＢが押し下げられた状態では開くようになっている。
また、ステムＢを囲んで容器ガイドＦが設けられている。この容器ガイドＦは穴開き円板状をなしており、その一部が切り欠かれて切込みＦ１が形成されている。この切込みＦ１は、カセットガスコンロに装着する場合の位置決め兼ガイドになっている。
【００２７】
カセット式ガスボンベＡのステムＢの突出部分を、ホルダー２１のバルブ機構２５の被押圧面２７を後退させるように最大限押し込むと、カセット式ガスボンベＡ側では、コイルスプリングの付勢に抗して、バルブ機構が開放され、ガス導出パイプＤ内の通路が開通する。燃料回収装置１側でも、コイルスプリングの付勢に抗して、バルブ機構２５が開放され、溝２９を介してホルダー２１内の通路が開通する。
押し込みの際には、切込みＦ１が下側にくるように位置調整する。カセットガスコンロに装着するときには、上側にくるように調整するが、燃料回収装置１に装着するときには、下側にくるように調整する。このように位置決めして装着すると、ガス導出パイプＤは垂直に屈曲した後に下方に向かうことになる。充填された液化ガス燃料は液化状態のもの（Ｌ）が下側にくるので、ガス導入端Ｅが下側を向いてその液層の中に突っ込まれた状態となる。
【００２８】
また、ホルダー２１が上記したように斜めに取付けられているので、カセット式ガスボンベＡの容器本体Ｃがホルダー２１に装着されると、軸方向に対してステムＢ側が底Ｇ側より下がる下がり勾配に横倒した姿勢に強制される。
下がり勾配にしたのは、容器本体Ｃ内でガス導入端Ｅを囲む凹状の液溜まり部を形成し、そこに液化ガス燃料（Ｌ）のうち未だ液化状態で留まっているものが最後に集まって溜まるようにするためであり、液化ガス燃料（Ｌ）を残さずに液体のまま回収し易くしている。
この下がり勾配の角度（θ）は、カセット式ガスボンベＡの容器本体Ｃの形状にもよるが、現在の市販品の形状からは、３〜１０°が好ましく、６°前後がより好ましいことが試験により確認されている。従って、このような下がり勾配で姿勢保持されるよう、支柱フレーム１１、１１に対して配管マニホールド１５が固定されている。図面では、θ＝６°で描かれている。
【００２９】
また、ホルダー２１のバルブ機構２５に、カセット式ガスボンベＡのステムＢの突出部分を最大限押し込むと、図７（ａ）に示すように、ホルダー２１側の外周側端面４３に、カセット式ガスボンベＡ側の容器ガイドＦが面状に当接する。そして、ホルダー２１側のマグネット３７、３７、……による引き寄せ作用が、カセット式ガスボンベＡ側の容器ガイドＦに対して働いて引き寄せ方向に付勢される。
従って、カセット式ガスボンベＡは、上記した姿勢で当接状態が維持されて、開通状態が保持される。
【００３０】
その他の手動操作により各種バルブ機構が開放され、真空ポンプ７３が動作すると、ホース７１を介して回収ボンベ５５内のガスが吸引され、回収ボンベ５５内が負圧状態に維持される。
従って、この負圧による誘導作用により、カセット式ガスボンベＡに充填された液化ガス燃料（Ｌ）は液体のまま、開通した液体回収経路（カセット式ガスボンベＡの容器本体Ｃ〜ガス導出パイプＤ〜ステムＢ〜バルブ機構２５の溝２９〜ホルダー２１〜配管マニホールド１５〜短管４７〜回収ボンベ５５）を矢印に示すように通過しながら移送されていき、最終的に回収ボンベ５５に回収される。
【００３１】
回収ボンベ５５内では吸引口６３の下端開口は十分に上方の位置にあり、回収されて溜められた液化ガス燃料（Ｌ）の液位が吸引口６３のバルブ機構より下方の位置にある限りは、回収ボンベ５５内のガスだけを吸引することができるので、回収作業を続行することができる。カセット式ガスボンベＡの処理数でも回収量を確認できるが、重量計６９の表示でも確認できる。
また、回収中には、圧力計４９や窓部５３で状況を確認することができるので、液体回収経路を通過する液化ガス燃料（Ｌ）がガス化している場合には容易に視認できる。また、安全装置として手動操作で開閉される各種バルブ機構が設けられているので、それらの活用により、回収ボンベ５５内に液化ガス燃料（Ｌ）がガス化した状態で回収されるのを阻止することができる。
【００３２】
この燃料回収装置１を利用すれば、カセット式ガスボンベＡに充填された液化ガス燃料（Ｌ）を効率良く短時間で抜き取って回収することができる。しかも、空中に液化ガス燃料（Ｌ）がガス化した状態で放出されないので、安全に処理を進めることができる。
【００３３】
図８に示すように、自立型フレーム体３を２つ用意し、短管４７に代えて、切替弁７５を介してホルダー２１側に接続される側が二つに分岐されたホース７７を使用して、分岐ホース７９、７９をそれぞれ自立型フレーム体３、３側に対応させることもできる。
回収ボンベ５５の容量が大きいときには、多数のカセット式ガスボンベＡ、Ａ、……から液化ガス燃料（Ｌ）を回収して溜めることができる。大量に回収して溜めようとすると、自立型フレーム体３に取付けたホルダー２１、２１、……から各別に回収済みのカセット式ガスボンベＡ、Ａ、……を取り外して、新しくカセット式ガスボンベＡ、Ａ、……を装着すると言った繰り返し作業をすることになるが、カセット式ガスボンベＡ、Ａ、……の取り外しと装着には結構な時間が掛かり、その間は回収作業が中断する。
しかしながら、この図８のように、自立型フレーム体３を２つ用意して、一方の自立型フレーム体３で回収作業をしているときに、他方の自立型フレーム体３に取付けたホルダー２１、２１、……から各別に回収済みのカセット式ガスボンベＡ、Ａ、……を取り外して、新しくカセット式ガスボンベＡ、Ａ、……を装着する作業を並行して行うことができ、回収作業に掛かる時間を短縮化できる。
【００３４】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態では、配管マニホールドが５本組のものを使用しているが、３本組のものを使用してもよい。
【符号の説明】
【００３５】
１…カセット式ガスボンベ内の燃料回収装置
３…自立型フレーム体  ５…ベースフレーム  ７…キャスター    ９…脚パッド
１１…支柱フレーム    １３…横架フレーム  １５…配管マニホールド
１７…キャップ        １９…接続筒        ２１…ホルダー    ２３…レバー
２５…バルブ機構      ２７…被押圧面      ２９…溝          ３１…ステム装着部
３３…取付けプレート  ３５…側面部        ３７…マグネット  ３９…円筒部
４０…段差            ４１…内周側端面    ４３…外周側端面  ４５…Ｔ型ジョイント
４７…短管            ４９…圧力計        ５１…レバー      ５３…窓部
５５…回収ボンベ      ５７…回収口        ５９…長管        ６１…ハンドル
６３…吸引口          ６７…ハンドル      ６９…重量計      ７１…ホース
７３…真空ポンプ      ７５…切替弁        ７７…ホース      ７９…分岐ホース
Ａ…カセット式ガスボンベ                  Ｂ…ステム        Ｃ…容器本体
Ｄ…ガス導出パイプ    Ｅ…ガス導入端      Ｆ…容器ガイド    Ｆ１…切込み
Ｇ…底                Ｌ…液化ガス燃料（液化状態）
θ…下がり勾配の角度
【図１】
2020180689.tif 000003
【図２】
2020180689.tif 000004
【図３】
2020180689.tif 000005
【図４】
2020180689.tif 000006
【図５】
2020180689.tif 000007
【図６】
2020180689.tif 000008
【図７】
2020180689.tif 000009
【図８】
2020180689.tif 000010